(57)【要約】  【課題】  折り畳み式の携帯電話において、本体が折り畳まれたり、充電作業が行われる度に紫外線を放射するのではなく、利用者の利用状況に応じた汚れ具合を仮想し、自動的かつ効率的に紫外線を放射することができる、抗菌機能を有する携帯電話の提供を課題とする。  【解決手段】携帯電話本体の非折り畳み時間を計測し、管理している紫外線を放射したタイミングの最終放射タイミングから、前記計測された携帯電話の非折り畳み積算時間が、予め定められた所定値を超えている場合には、紫外線を放射する携帯電話を構築した。【選択図】図１
2010034753.tif 000002
【特許請求の範囲】
【請求項１】
表示部と本体操作部が回動可能な折り畳み式の携帯電話において、表示部と本体操作部が開いている非折り畳み時間を計測する非折り畳み時間計測手段と、当該携帯電話の折り畳み時にその対抗面に、抗菌作用のある紫外線を放射する紫外線放射手段と、当該紫外線を放射したタイミングを管理する放射履歴管理手段と、当該放射履歴に記録されている最終タイミングから、現に当該携帯電話を折り畳んだ際まで、前記非折り畳み計測手段が計測した時間を積算し、当該積算時間が予め定められた所定値を超えている場合には、前記紫外線放射手段をもって、紫外線を放射するように制御する放射制御手段と、が設けられていることを特徴とする抗菌機能を有する携帯電話。
【発明の詳細な説明】
【技術分野】
【０００１】
本発明は、自動的に抗菌処理を行うことができる携帯電話に関する。
【背景技術】
【０００２】
携帯電話とは、単純に通話をするものだけではなく、今では、利用者間でメールのやり取りを行ったり、多種多彩なコンテンツサービスを提供する情報端末として用いられている。しかし、この携帯電話の多機能化により、利用者は長時間に渡り携帯電話を利用する機会が増え、電話番号や受信したメールを表示する表示部、メールの文字入力を行う操作部および長時間通話によるりマイク周辺が汚れ、定期的にメンテナンス用のクロス等を用いて、クリーニング作業が必要となる。このような問題に対して、特許文献１では、折り畳み式の携帯電話の表示部と操作部に紫外線発光ダイオードを設け、携帯電話が折り畳まれた状態に移行してから所定時間、殺菌効果のある紫外線を放射する技術が開示されている。また、特許文献２では、携帯情報端末の充電池の残容量に応じて、発光ダイオードの発光強度を調整し、充電池の充電終了時間に合わせ携帯情報端末を、防臭、抗菌する電子機器充電システムが開示されている。
【特許文献１】特開２００６−１５７３８１号公報
【特許文献２】特開２００４−１１２９８０号公報
【発明の開示】
【発明が解決しようとする課題】
【０００３】
しかしながら、特許文献１は、折り畳み式の携帯電話が折り畳まれた状態か否かのみに応じて、抗菌効果のある紫外線を放射するか否かを決定するため、実際には抗菌や殺菌の必要のない場合でも、携帯電話が折り畳まれる毎に、無造作に紫外線を放射することになる。また、特許文献２の電子機器充電システムは、充電池の充電終了時間に合わせ、携帯情報端末に紫外線を放射するものであり、実際に利用者の通話やメール等の利用状況に応じた汚れ具合を考慮し、抗菌や殺菌を行うものではなく、充電の度に無造作に紫外線が放射される。また、この特許文献２では、携帯電話自体に抗菌機能がないため、充電作業の他で抗菌処理を行うことができないという欠点もある。そこで、本発明では、折り畳み式の携帯電話において、本体が折り畳まれたり、充電作業が行われる度に紫外線を放射するのではなく、利用者の利用状況に応じた汚れ具合を仮想し、自動的かつ効率的に紫外線を放射することができる、抗菌機能を有する携帯電話の提供を課題とする。
【課題を解決するための手段】
【０００４】
上記課題を鑑み、本発明の抗菌機能を有する携帯電話とは、折り畳み時に表示部と本体操作部を含む対抗面に、抗菌作用のある紫外線を放射する携帯電話であって、携帯電話本体の非折り畳み時間を計測し、管理している紫外線を放射したタイミングの最終放射タイミングから、現に当該携帯電話を折り畳んだ際までの計測した時間が、予め定められた所定値を超えている場合には、紫外線を放射することにより上記課題を解決した。
【０００５】
すなわち、本発明の抗菌機能を有する携帯電話とは、表示部と本体操作部が回動可能な折り畳み式の携帯電話において、表示部と本体操作部が開いている非折り畳み時間を計測する非折り畳み時間計測手段と、当該携帯電話の折り畳み時にその対抗面に、抗菌作用のある紫外線を放射する紫外線放射手段と、当該紫外線を放射したタイミングを管理する放射履歴管理手段と、当該放射履歴に記録されている最終タイミングから、現に当該携帯電話を折り畳んだ際まで、前記非折り畳み計測手段が計測した時間が予め定められた所定値を超えている場合には、前記紫外線放射手段をもって、紫外線を放射するように制御する放射制御手段と、が設けられていることを特徴とする。
【発明の効果】
【０００６】
本発明の抗菌機能を有する携帯電話とは、抗菌作用のある紫外線を放射した最終放射タイミングから携帯電話本体の非折り畳み時間、すなわち、携帯電話が開かれている時間を計測し、計測された時間が予め定められた所定値を超えている場合に限り、携帯電話に紫外線を放射するため、従来のように、携帯電話が折り畳まれる毎に、あるいは、携帯電話を充電するタイミング毎に、無造作に紫外線を放射するのではなく、携帯電話が開かれている時間という利用者が実際に通話やメール、またはその他コンテンツサービスを利用した利用状況をもとに汚れ具合を仮想し、適宜に紫外線を放射することで、通話による表示部やマイク周辺、メールやコンテンツサービスを実施する時の本体操作部の汚れを、自動的かつ効率的に抗菌し携帯電話を衛生的に保てるといった効果を奏する。
【発明を実施するための最良の形態】
【０００７】
以下に、本発明の携帯電話について最適な実施例を挙げ、先ず、図1に示す本携帯電話の主要構成部のブロック構成図について説明する。
【０００８】
図１は、本発明の携帯電話（１）の主要構成部のブロック構成図である。具体的には、携帯電話（１）は、各種機能手段および各管理テーブルを記録するフラッシュメモリ（２）から構成されており、先ず、非折り畳み時間計測手段（３）は、携帯電話の非折り畳み時間、すなわち、携帯電話が開かれている時間を計測し、フラッシュメモリ（２）の非折り畳み時間管理テーブル（Ｔ２）に計測した時間を記録する。そして、放射履歴管理手段（５）は、携帯電話（１）が紫外線を放射した放射履歴を放射履歴管理テーブル（Ｔ１）に記録し、当該記録されている最終放射タイミングから、利用者が現に携帯電話（１）を折り畳んだ際までの計測した積算時間が、予めデフォルト設定された所定値を超えている場合には、放射制御手段（６）は、紫外線放射手段（４）を制御して、携帯電話に紫外線の放射を行わせる。なお、本実施例では、上記予めの設定時間が機器出荷時（あるいは製造時）にてデフォルト設定されているが、本発明はこれに限らず、利用者が利用できる設定時間入力手段（図示省略）を用いて、放射開始を決める積算時間を設定しても構わない。
【０００９】
次に、図２に示す本携帯電話の外部構成図について説明する。
【００１０】
図２は、本携帯電話の外部構成図を示すものであり、本発明の携帯電話（１）は、表示部（ｐ１）と本体操作部（ｐ２）が回動可能な折り畳み式の携帯電話である。この携帯電話（１）の表示部（ｐ１）と本体操作部（ｐ２）が設けられている各面には、抗菌機能を有する紫外線を出力する発光ダイオード（ｐ３）が備えられている。本実施例では、当該発光ダイオード（ｐ３）は、利用状況により特に汚れやすい表示部（ｐ１）のスピーカ（ＳＰ）や本体操作部（ｐ２）のマイク（ＭＣ）の折り畳み時の対抗部近傍に数箇所設けられている他、あまり汚れない表示部（ｐ１）の対抗面には、当該表示部（ｐ１）の対抗部の縦分割中心線上の左右と、比較的汚れやすい本体操作部（ｐ２）の対抗部四隅にも設けられている。そして、携帯電話本体が折り畳まれた場合には、利用状況に応じて各発光ダイオード（ｐ３）を発行させる。紫外線について、詳しくは、抗菌機能のある一般的な波長領域を有しているものでよいが、本実施例では、人体への影響も考慮して、波長３２０〜４００ｎｍ内の任意の紫外線の放射を行う。なお、本実施例では、特に汚れやすいマイク周辺や本体操作部の数字キー等には、抗菌機能を有る薄膜が塗布されており、この薄膜とは一般的に知られているもので、例えば、光触媒反応を生じる半導体である、二酸化チタム、酸化亜鉛、硫化カドミウム、硫化亜鉛などの微粒子がコーディングされており、放射された紫外線により抗菌機能が活性化するものである。
【００１１】
次に図３に示す放射履歴管理テーブルおよび非折り畳み時間管理テーブルについて説明する。
【００１２】
図３（ａ）放射履歴管理テーブルの概略図とは、フラッシュメモリに記録されている携帯電話に紫外線を放射した履歴を示すものであり、この放射履歴管理テーブル（Ｔ１）の構成要件として、放射履歴の管理番号を示す「管理番号」フィールド（ｆ１）と、実際に携帯電話を閉じた状態で紫外線を放射した日付を示す「放射日付」フィールド（ｆ２）と、さらに詳細な放射タイミングデータとして、同放射日付における放射時刻を示す「閉時刻」フィールド（ｆ３）から構成されている。
【００１３】
図３（ｂ）非折り畳み時間管理テーブルの概略図とは、当該放射履歴に記録されている最終タイミングから、現に携帯電話を折り畳んだ際までの計測時間を積算したものであり、この非折り畳み時間管理テーブル（Ｔ２）の構成要件として、管理番号を示す「管理番号」フィールド（ｆ１）と、携帯電話の折り畳みおよび、非折り畳み動作が行われた日付を示す「日付」フィールド（ｆ２）と、その動作が行われた時間を示す「時間」フィールド（ｆ３）と、実際に携帯電話が開かれている時間である非折り畳み時間を示す「非折り畳み時間」フィールド（ｆ４）と、最終放射タイミングからの非折り畳み時間を積算した「積算非折り畳み時間」フィールド（ｆ５）と、当該積算した非折り畳み時間が、予めデフォルト設定された積算時間の所定値を越えた際に紫外線を放射したことを示す「放射」フィールド（ｆ６）から構成されている。なお、本実施例では、積算時間の所定値を６０分（１時間）と予め設定しており、よって、通話やメール作成等のキータッチのための非折り畳みの時間の積算値が６０分を超えた「管理番号４」の時点で抗菌作用のある紫外線が放射されると、「放射」フィールド（ｆ６）にフラグが立つと放射が確認され、積算時間は初期化される。
【００１４】
次に、図４の紫外線放射処理を示すフローについて説明する。
【００１５】
図４は、携帯電話の非折り畳み時間を計測してから、携帯電話に紫外線を放射するまでの流れを示したものであり、折り畳み動作毎に発生する処理のフローである。先ず、利用者が現に携帯電話を開いた時間である、非折り畳み時間を計測し（Ｓ１）、次に携帯電話に紫外線を放射した放射履歴を参照（Ｓ２）する。そして、最終放射タイミングから、現に折り畳んだ際までの非折り畳み時間に積算し（Ｓ３）、積算時間が所定値を超えているか否かを判定し（Ｓ４）、所定値を超えている場合には、携帯電話に抗菌作用のある紫外線を放射する（Ｓ５）。そして紫外線の放射終了後は、放射したタイミングを記録し（Ｓ６）、積算した時間をリセットする（Ｓ７）。なお、積算時間が所定値を超えていない場合には、紫外線を放射せずに非折り畳み時間を計測し積算する。
【００１６】
以上の如く、本発明の抗菌機能を有する携帯電話とは、抗菌作用のある紫外線を放射した最終放射タイミングからの、携帯電話本体の非折り畳み時間を算出し、算出された時間が予め定められた所定値を超えている場合には、紫外線を放射することにより、利用者の利用状況に応じた汚れ具合を仮想し、自動的かつ効率的に紫外線を放射することができ、携帯電話を衛生的に維持できる。
【図面の簡単な説明】
【００１７】
【図１】本携帯電話の主要構成部のブロック構成図
【図２】本携帯電話の外部構成図
【図３】放射履歴管理テーブルおよび非折り畳み時間管理テーブルの概略図
【図４】紫外線放射処理を示すフロー
【符号の説明】
【００１８】
１           携帯電話
２ 
フラッシュメモリ
３           非折り畳み時間計測手段
４           紫外線放射手段
５ 
放射履歴管理手段
６                    放射制御手段
Ｔ１         放射履歴管理テーブル
Ｔ２         非折り畳み時間管理テーブル
【図２】
2010034753.tif 000003
【図４】
2010034753.tif 000004
【図１】
2010034753.tif 000005
【図３】
2010034753.tif 000006